(57)【要約】 【課題】  青果物を、移送をしながらその大きな又は重さを等を測定して、各種大きさ又は重さ等ごとに選別するようにした選果ライン装置１において、これに残留農薬値の高い青果物が混じることがないようにする。【解決手段】  各農家ごとに生産された同一品種多数個の青果物を一単位として、この一単位における各青果物Ａを、送り込み移送手段２にて列状に並べた状態で前記選果ライン装置１に送り込み移送し、前記一単位における各青果物Ａのうち移送方向の先頭における一部複数個をサンプル青果物Ａ′として、この各サンプル青果物の表面における農薬成分をこれに中赤外線を照射しその反射光のスペクトル分析にて検出して、前記各サンプル青果物における残留農薬値の平均値を算出し、この平均値が所定値を越えているとき、前記一単位における各青果物Ａの総てを前記選果ライン装置１に送り込まないようにする。【選択図】                    図１
2005177627.tif 000002
【特許請求の範囲】
【請求項１】
青果物を、移送をしながらその大きな又は重さ等を測定して、各種大きさ又は重さ等ごとに選別するようにした選果ライン装置において、
各農家ごとに生産された同一品種多数個の青果物を一単位として、この一単位における各青果物を、送り込み移送手段にて列状に並べた状態で前記選果ライン装置に送り込み移送し、前記一単位における各青果物のうち移送方向の先頭における一部複数個をサンプル青果物として、この各サンプル青果物の表面における農薬成分をこれに中赤外線を照射しその反射光のスペクトル分析にて検出し、検出した残留農薬値が所定値を越えているとき、前記一単位における各青果物の総てを前記選果ライン装置に送り込まないようにしたことを特徴とする青果物の選別方法。
【請求項２】
前記請求項１の記載において、前記各サンプル青果物の表面における農薬成分の検出を、前記送り込み移送手段における移送速度を減速した状態で行うことを特徴とする青果物の選別方法。
【請求項３】
前記請求項１の記載において、前記各サンプル青果物の表面における農薬成分の検出を、前記各サンプル青果物を前記送り込み移送手段からこれに並設した測定用移送手段に移し替えて、この測定用移送手段にて移送中において行うことを特徴とする青果物の選別方法。
【発明の詳細な説明】
【技術分野】
【０００１】
本発明は、各農家で生産される果実又は野菜等の青果物を、移送しながら各種大きさ又は重さ等ごとにに選別する方法に関するものである。
【背景技術】
【０００２】
一般に、各農家において生産された果実又は野菜等の青果物を出荷するに際しては、例えば、特許文献１に記載されているように、これを選果ライン装置において、移送しながら、その大きさ及び重さ等を計測したのち、各種大きさ又は重さ等ごとに選別するようにしている。
【０００３】
一方、各農家において生産された青果物には、これを成育したときに使用した農薬が残ってこいるから、この青果物における残留農薬の量を測定することが必要である。
【特許文献１】特開平５−５００４１号公報
【発明の開示】
【発明が解決しようとする課題】
【０００４】
しかし、従来は、各農家単位で生産された青果物における残留農薬を、予め測定し、残留農薬値が所定値よりも低い青果物のみを、前記した選果ライン装置に供給するようにしており、換言すると、前記青果物における残留農薬値を測定することと、前記青果物を各種大きさ又は重さ等に選別することとを、各々別々に行うようにしているから、それだけ非能率的で、コストが嵩むばかりか、青果物を損傷するおそれが大きいとう問題があった。
【０００５】
本発明は、この問題を解消することを技術的課題とするものである。
【課題を解決するための手段】
【０００６】
この技術的課題を達成するため本発明の請求項１は、
「青果物を、移送をしながらその大きな又は重さ等を測定して、各種大きさ又は重さ等ごとに選別するようにした選果ライン装置において、
各農家ごとに生産された同一品種多数個の青果物を一単位として、この一単位における各青果物を、送り込み移送手段にて列状に並べた状態で前記選果ライン装置に送り込み移送し、前記一単位における各青果物のうち移送方向の先頭における一部複数個をサンプル青果物として、この各サンプル青果物の表面における農薬成分をこれに中赤外線を照射しその反射光のスペクトル分析にて検出し、検出した残留農薬値が所定値を越えているとき、前記一単位における各青果物の総てを前記選果ライン装置に送り込まないようにした。」
ことを特徴としている。
【０００７】
また、本発明の請求項２は、
「前記請求項１の記載において、前記各サンプル青果物の表面における農薬成分の検出を、前記送り込み移送手段における移送速度を減速した状態で行う。」
ことを特徴としている。
【０００８】
更にまた、本発明の請求項３は、
「前記請求項１の記載において、前記各サンプル青果物の表面における農薬成分の検出を、前記各サンプル青果物を前記送り込み移送手段からこれに並設した測定用移送手段に移し替えて、この測定用移送手段にて移送中において行う。」
ことを特徴としている。
【発明の効果】
【０００９】
前記請求項１は、各農家ごとに生産された同一品種多数個の青果物を一単位として、この一単位における各青果物を、送り込み移送手段にて列状に並べた状態で前記選果ライン装置に送り込み移送し、前記一単位における各青果物のうち移送方向の先頭における一部複数個をサンプル青果物として、この各サンプル青果物の表面における農薬成分をこれに中赤外線を照射しその反射光のスペクトル分析にて検出し、検出した残留農薬値が所定値を越えているとき、前記一単位における各青果物の総てを前記選果ライン装置に送り込まないようにしたものである。
【００１０】
この場合において、前記残留農薬値の測定を、前記一単位における各青果物のうち移送方向の先頭における一部複数個をサンプル青果物について行うことにより、前記選果ライン装置に、高い残留農薬値を有する青果物が送り込まれること、ひいては、前記選果ライン装置において各種大きさ又は重さ等ごとに選別されたあとにおける青果物に高い残留農薬値を有する青果物が混ざることを、確実に阻止することができる。
【００１１】
しかも、前記残留農薬値の測定を、前記各サンプル青果物を移送しながら、その表面における農薬成分をこれに中赤外線を照射しその反射光のスペクトル分析にて検出し、前記各サンプル青果物における残留農薬値の平均値を算出して行うことにより、青果物を損傷するおそれが低いことに加えて、前記選果ライン装置への送り込み移送と残留農薬値の測定とが同時にできて、作業能率を大幅に向上できる。
【００１２】
特に、請求項２によると、残留農薬値の測定を、前記選果ライン装置への送り込み移送の速度を減速した状態で行うことにより、残留農薬値の測定の精度を高い状態に維持できる利点がある。
【００１３】
また、請求項３によると、残留農薬値の測定を、測定用移送手段による移送中において、前記一単位における各青果物のうち前記サンプル青果物以外の青果物を選果ライン装置に向かって送り込み移送しながら行うことができるから、残留農薬値の測定の精度を高い状態に維持できるとともに、前記した残留農薬値の測定及び選果ライン装置への送り込み移送に要する時間を短縮できて、作業能率を更に向上できるという利点がある。
【発明を実施するための最良の形態】
【００１４】
以下、本発明の実施の形態を、図面について説明する。
【００１５】
図１は、第１の実施の形態を示す。
【００１６】
この図１において、符号１は、例えば、前記特許文献１に記載されているように、野菜又は果物等の青果物の多数個を、移送しながらその大きさ及び重さ等を計測したのち、各種大きさ又は重さ等ごとに選別するようにした選果ライン装置を、符号２は、前記選果ライン装置１に、前記青果物を送り込むための送り込み移送手段を示す。
【００１７】
そして、各農家で生産された同一品種多数個の青果物Ａを一単位として、この一単位における各青果物Ａを、前記送り込み移送手段２にて列状に並べた状態にして前記選果ライン装置１に送り込み移送する。
【００１８】
この送り込み移送の途中において、前記一単位における各青果物Ａのうち移送方向の先頭における一部複数個をサンプル青果物Ａ′にして、前記各サンプル青果物Ａ′のうち一つについて、残留農薬検出手段３にて、前記各サンプル青果物Ａ′のうち一つについて中赤外線を照射しその反射光をスペクトル分析することで残留農薬の種類及び値を測定することを、前記各サンプル青果物Ａ′の総てについて行うことにより、前記各サンプル青果物Ａ′における残留農薬値の平均値を算出して、この算出した値が、制御回路４に入力される。
【００１９】
前記制御回路４は、前記各サンプル青果物Ａ′における残留農薬値の平均値が、特定の農薬における許容限界値を越えていない場合には、前記一単位における各青果物Ａを、前記送り込み移送手段２により前記選果ライン装置１に送り込むが、前記残留農薬値の平均値が、特定の農薬における許容限界値を越えているときには、前記送り込み移送手段２の一単位における各青果物Ａ（これには、前記各サンプル青果物Ａ′を含む）を、切り換え手段５にて、当該送り込み移送手段２から排除移送手段６に移し替ることにより、前記選果ライン装置１に送り込まないようにする。
【００２０】
つまり、この第１の実施の形態は、各農家ごとに生産された同一品種多数個の青果物を一単位として、この一単位における各青果物Ａを、送り込み移送手段２にて列状に並べた状態で前記選果ライン装置１に送り込み移送し、前記一単位における各青果物Ａのうち移送方向の先頭における一部複数個をサンプル青果物Ａ′として、この各サンプル青果物Ａ′の表面における農薬成分をこれに中赤外線を照射しその反射光のスペクトル分析にて検出して、前記各サンプル青果物Ａ′における残留農薬値の平均値を算出し、この平均値が所定値を越えているとき、前記一単位における各青果物Ａの総てを前記選果ライン装置１に送り込まないように構成したものである。
【００２１】
この第１の実施の形態において、前記一単位における各各青果物Ａのうち一部の各サンプル青果物Ａ′における残留農薬値を測定しているときには、前記送り込み移送手段２における移送速度を一旦遅くするように減速し、各サンプル青果物Ａ′における残留農薬値を測定が終わると、もとの早い速度に戻すようにしている。
【００２２】
これにより、残留農薬値の測定を遅い移送速度の状態を行うことができるから、測定の精度を向上できる。
【００２３】
また、前記スペクトル分析に際しては、その反射光のスペクトル分布を、農薬における種類ごとのピーク分布に比較することによって、農薬の種類を判別し、且つ、前記スペクトル分布における最大ピーク値によって残留農薬値を求めるようにする。
【００２４】
なお、各サンプル青果物Ａ′における残留農薬値の平均値を算出するに際しては、一つのサンプル青果物Ａ′における農薬成分の検出を複数箇所について行うことにより当該一つのサンプル青果物Ａ′における残留農薬値の平均値を算出する。これを前記各サンプル青果物Ａ′の総てに実行することにより、前記各サンプル青果物Ａ′における残留農薬値の平均値を算出するようにしても良い。
【００２５】
次に、図２は、第２の実施の形態を示す。
【００２６】
この第２の実施の形態は、前記選果ライン装置１への前記送り込み移送手段２の途中に、測定用移送手段７を並設し、前記送り込み移送手段２にて移送している一単位における各青果物Ａのうち一部の各サンプル青果物Ａ′を、前記送り込み移送手段２から前記測定用移送手段７に移し替えし、前記残留農薬検出手段３にて前記各サンプル青果物Ａ′における残留農薬値の平均値を算出することを、前記測定用移送手段７による移送中に行う。      
【００２７】
そして、前記第１の実施形態の場合と同様に、残留農薬検出手段３からの信号を入力とする制御回路４は、前記各サンプル青果物Ａ′における残留農薬値の平均値が、特定の農薬における許容限界値を越えていない場合には、前記一単位における各青果物Ａを、前記送り込み移送手段２により前記選果ライン装置１に送り込むが、前記残留農薬値の平均値が、特定の農薬における許容限界値を越えているときには、前記送り込み移送手段２の一単位における各青果物Ａ（これには、前記各サンプル青果物Ａ′を含む）を、切り換え手段５にて、当該送り込み移送手段２から排除移送手段６に移し替ることにより、前記選果ライン装置１に送り込まないようにする。
【００２８】
なお、この第２の実施形態において、前記測定用移送手段７における各サンプル青果物Ａ′は、その残留農薬値の平均値を算出が完了すると、再び前記送り込み移送手段２に戻すようにしても良いが、前記送り込み移送手段２に戻すことなく、前記測定用移送手段７にて前記選果ライン装置１に送り込むようにしても良い。
【００２９】
この構成によると、残留農薬値の測定を、測定用移送手段７による移送中において、前記一単位における各青果物Ａのうち前記サンプル青果物Ａ′以外の青果物を選果ライン装置１に向かって送り込み移送しながら行うことができる。
【図面の簡単な説明】
【００３０】
【図１】第１の実施形態を示す平面図である。
【図２】第２の実施形態を示す平面図である。
【符号の説明】
【００３１】
１                    選果ライン装置
２                    送り込み移送手段
３                    残留農薬検出手段
４                    制御回路
５                    切り換え手段
６                    排除移送手段
７                    測定用移送手段
Ａ                    一単位における青果物
Ａ′                  サンプル青果物
【図１】
2005177627.tif 000003
【図２】
2005177627.tif 000004